(57)【要約】【課題】データ放送情報の表示画面（情報表示領域）のレイアウトが崩れることなく、任意の情報を画面上に表示することが可能なデジタル放送システム、受信端末および放送表示方法を提供する。【解決手段】一時情報付加装置は、一時情報をデジタル放送波のＢＭＬデータに付加して再送信用のデジタル放送波を生成する。再送信装置は、一時情報が付加された放送波を車両内に再送信する。受信端末３０のＢＭＬブラウザ１０３は、データ受信部１０１が受信した放送波４１のＢＭＬデータを受け付けると、そのＢＭＬデータから一時情報を抽出し、その一時情報を字幕デコーダ１０４に出力する。字幕デコーダ１０４は、一時情報を受信すると、一時情報を字幕データの代わりに出力する。このため、表示部１０７は、字幕データの代わりに一時情報を表示する。【選択図】図２
2007243658.tif 000002
【特許請求の範囲】
【請求項１】
番組表示用の番組情報とデータ放送用のデータ放送情報とを含むデジタル放送波を中継する中継装置と、前記中継装置にて中継されたデジタル放送波を受信し該デジタル放送波に含まれる番組情報およびデータ放送情報を表示する受信端末と、を含むデジタル放送システムであって、
前記中継装置は、
前記デジタル放送波を受信する放送受信部と、
追加表示用の追加表示情報を受け付け、前記放送受信部にて受信されたデジタル放送波のデータ放送情報に該追加表示情報を付加する情報付加部と、
前記放送受信部にて受信されたデジタル放送波の番組情報と、前記情報付加部にて前記追加表示情報が付加されたデータ放送情報と、を含む再送用のデジタル放送波を生成し、該再送用のデジタル放送波を送信する送信部と、を含み、
前記受信端末は、
前記送信部から送信された再送用のデジタル放送波を受信する受信部と、
前記受信部にて受信された再送用のデジタル放送波のデータ放送情報から、前記追加表示情報を抽出する抽出部と、
前記受信部にて受信された再送用のデジタル放送波の番組情報の一部を、前記抽出部にて抽出された追加表示情報に変更する変更部と、
前記変更部にて変更された前記番組情報を表示する表示部と、を含む、デジタル放送システム。
【請求項２】
前記番組情報は、映像データと字幕データを含み、
前記変更部は、前記再送用のデジタル放送波の番組情報の字幕データを、前記抽出部にて抽出された追加表示情報に変更する、請求項１に記載のデジタル放送システム。
【請求項３】
前記データ放送情報は、前記番組情報の表示領域と前記データ放送情報の表示領域を規定するデータモジュールを含み、
前記情報付加部は、前記データモジュールに前記追加表示情報を付加し、
前記抽出部は、前記データモジュールから前記追加表示情報を抽出する、請求項１または２に記載のデジタル放送システム。
【請求項４】
前記データ放送情報は、前記番組情報の表示領域と前記データ放送情報の表示領域を規定するデータモジュールを含み、
前記情報付加部は、前記データモジュールに前記追加表示情報を付加し、
前記抽出部は、前記データモジュールから前記追加表示情報を抽出し、前記表示部に、前記番組情報の表示領域と前記データ放送情報の表示領域の規定を維持しながら前記番組情報の表示領域または前記データ放送情報の表示領域に前記追加表示情報を表示させる、請求項１に記載のデジタル放送システム。
【請求項５】
番組表示用の番組情報とデータ放送用のデータ放送情報とを含むデジタル放送波を受信する受信部と、
前記受信部にて受信されたデジタル放送波のデータ放送情報に、追加表示用の追加表示情報が付加されていた場合に、該データ放送情報から該追加表示情報を抽出する抽出部と、
前記受信部にて受信されたデジタル放送波の番組情報の一部を、前記抽出部にて抽出した追加表示情報に変更する変更部と、
前記変更部にて変更された前記番組情報を表示する表示部と、を含む、受信端末。
【請求項６】
前記番組情報は、映像データと字幕データを含み、
前記変更部は、前記デジタル放送波の番組情報の字幕データを、前記抽出部にて抽出された追加表示情報に変更する、請求項５に記載の受信端末。
【請求項７】
前記データ放送情報は、前記番組情報の表示領域と前記データ放送情報の表示領域を規定するデータモジュールを含み、
前記抽出部は、前記データモジュールに前記追加表示情報が付加されていた場合に、該データモジュールから該追加表示情報を抽出する、請求項５または６に記載の受信端末。
【請求項８】
前記データ放送情報は、前記番組情報の表示領域と前記データ放送情報の表示領域を規定するデータモジュールを含み、
前記抽出部は、前記データモジュールに前記追加表示情報が付加されていた場合に、該データモジュールから該追加表示情報を抽出し、前記表示部に、前記番組情報の表示領域と前記データ放送情報の表示領域の規定を維持しながら前記番組情報の表示領域または前記データ放送情報の表示領域に前記追加表示情報を表示させる、請求項５に記載の受信端末。
【請求項９】
番組表示用の番組情報とデータ放送用のデータ放送情報とを含むデジタル放送波を中継する中継装置と、前記中継装置にて中継されたデジタル放送波を受信し該デジタル放送波に含まれる番組情報およびデータ放送情報を表示する受信端末と、を含むデジタル放送システムが行う放送表示方法であって、
前記中継装置が、前記デジタル放送波を受信する放送受信ステップと、
前記中継装置が、追加表示用の追加表示情報を受け付け、前記デジタル放送波のデータ放送情報に該追加表示情報を付加する情報付加ステップと、
前記中継装置が、前記デジタル放送波の番組情報と、前記追加表示情報が付加されたデータ放送情報と、を含む再送用のデジタル放送波を生成し、該再送用のデジタル放送波を送信する送信ステップと、
前記受信端末が、前記再送用のデジタル放送波を受信する受信ステップと、
前記受信端末が、前記再送用のデジタル放送波のデータ放送情報から、前記追加表示情報を抽出する抽出ステップと、
前記受信端末が、前記再送用のデジタル放送波の番組情報の一部を、前記追加表示情報に変更する変更ステップと、
前記受信端末が、前記変更された前記番組情報を表示する表示ステップと、を含む、放送表示方法。
【請求項１０】
前記番組情報は、映像データと字幕データを含み、
前記変更ステップでは、前記再送用のデジタル放送波の番組情報の字幕データを、前記抽出部にて抽出された追加表示情報に変更する、請求項９に記載の放送表示方法。
【請求項１１】
前記データ放送情報は、前記番組情報の表示領域と前記データ放送情報の表示領域を規定するデータモジュールを含み、
前記情報付加ステップでは、前記データモジュールに前記追加表示情報を付加し、
前記抽出ステップでは、前記データモジュールから前記追加表示情報を抽出する、請求項９または１０に記載の放送表示方法。
【請求項１２】
前記データ放送情報は、前記番組情報の表示領域と前記データ放送情報の表示領域を規定するデータモジュールを含み、
前記情報付加ステップでは、前記データモジュールに前記追加表示情報を付加し、
前記抽出ステップでは、前記データモジュールから前記追加表示情報を抽出し、
前記表示ステップでは、さらに、前記番組情報の表示領域と前記データ放送情報の表示領域の規定を維持しながら前記番組情報の表示領域または前記データ放送情報の表示領域に前記追加表示情報を表示する、請求項９に記載の放送表示方法。
【請求項１３】
デジタル放送波を受信する受信端末が行う放送表示方法であって、
番組表示用の番組情報とデータ放送用のデータ放送情報とを含むデジタル放送波を受信する受信ステップと、
前記デジタル放送波のデータ放送情報に、追加表示用の追加表示情報が付加されていた場合に、該データ放送情報から該追加表示情報を抽出する抽出ステップと、
前記デジタル放送波の番組情報の一部を、前記追加表示情報に変更する変更ステップと、
前記変更された前記番組情報を表示する表示ステップと、を含む、放送表示方法。
【請求項１４】
前記番組情報は、映像データと字幕データを含み、
前記変更ステップでは、前記デジタル放送波の番組情報の字幕データを、前記追加表示情報に変更する、請求項１３に記載の放送表示方法。
【請求項１５】
前記データ放送情報は、前記番組情報の表示領域と前記データ放送情報の表示領域を規定するデータモジュールを含み、
前記抽出ステップでは、前記データモジュールに前記追加表示情報が付加されていた場合に、該データモジュールから該追加表示情報を抽出する、請求項１３または１４に記載の放送表示方法。
【請求項１６】
前記データ放送情報は、前記番組情報の表示領域と前記データ放送情報の表示領域を規定するデータモジュールを含み、
前記抽出ステップでは、前記データモジュールに前記追加表示情報が付加されていた場合に、該データモジュールから該追加表示情報を抽出し、
前記表示ステップでは、さらに、前記番組情報の表示領域と前記データ放送情報の表示領域の規定を維持しながら前記番組情報の表示領域または前記データ放送情報の表示領域に前記追加表示情報を表示する、請求項１３に記載の放送表示方法。
【発明の詳細な説明】
【技術分野】
【０００１】
本発明は、デジタル放送システム、受信端末および放送表示方法に関し、特には、番組表示用の番組情報とデータ放送用のデータ放送情報とを含むデジタル放送波を受信するデジタル放送システム、受信端末および放送表示方法に関する。
【背景技術】
【０００２】
現在のＢＳデジタル放送および地上波のデジタル放送では、放送局から送出される放送波に、映像および音声のデータ（番組情報）と、ＢＭＬ（Broadcast Markup Language）によって記述された情報表示用データ（データ放送情報）とが含まれている。受信機は、これらのデータをデコードして、それぞれをディスプレイに表示する。この場合、ＢＭＬによって、映像領域と情報表示領域とが規定されている。
【０００３】
また、２００６年４月にはモバイル向けデジタル放送（いわゆるワンセグ放送）も開始され、ユーザは、携帯電話においても、デジタル放送を受信して番組を楽しめるようになってきている。
【０００４】
また、特許文献１（特開２００４−８８４９２号公報）には、ＢＭＬコンテンツの内容情報を地域ごとに差し替えるデータ放送システムが記載されている。
【特許文献１】特開２００４−８８４９２号公報
【発明の開示】
【発明が解決しようとする課題】
【０００５】
携帯電話を用いたデジタル放送の視聴は、特に電車等の交通機関の中が多いと予想される。この場合、ユーザが、周りへの配慮によりイヤホンを付けて番組を閲覧すると、車内アナウンスが聞こえにくくなり、また、画面に集中するので、乗り過ごしをする可能性が高くなるという問題がある。
【０００６】
そこで、特許文献１に記載された技術を応用して、ＢＭＬコンテンツの内容を、車内向けの任意の内容に変更することが考えられるが、この場合、以下の問題が生じる。
【０００７】
ＢＭＬによる情報表示領域に、車内向けの任意の情報が表示されると、情報表示領域の画面レイアウトが崩れてしまう恐れがある。このため、実用上は、ＢＭＬコンテンツの内容を安易に差し替えることができない。
【０００８】
本発明の目的は、データ放送情報の表示画面（情報表示領域）のレイアウトが崩れることなく、任意の情報を画面上に表示することが可能なデジタル放送システム、受信端末および放送表示方法を提供することである。
【課題を解決するための手段】
【０００９】
上記目的を達成するために、本発明のデジタル放送システムは、番組表示用の番組情報とデータ放送用のデータ放送情報とを含むデジタル放送波を中継する中継装置と、前記中継装置にて中継されたデジタル放送波を受信し該デジタル放送波に含まれる番組情報およびデータ放送情報を表示する受信端末と、を含むデジタル放送システムであって、前記中継装置は、前記デジタル放送波を受信する放送受信部と、追加表示用の追加表示情報を受け付け、前記放送受信部にて受信されたデジタル放送波のデータ放送情報に該追加表示情報を付加する情報付加部と、前記放送受信部にて受信されたデジタル放送波の番組情報と、前記情報付加部にて前記追加表示情報が付加されたデータ放送情報と、を含む再送用のデジタル放送波を生成し、該再送用のデジタル放送波を送信する送信部と、を含み、前記受信端末は、前記送信部から送信された再送用のデジタル放送波を受信する受信部と、前記受信部にて受信された再送用のデジタル放送波のデータ放送情報から、前記追加表示情報を抽出する抽出部と、前記受信部にて受信された再送用のデジタル放送波の番組情報の一部を、前記抽出部にて抽出された追加表示情報に変更する変更部と、前記変更部にて変更された前記番組情報を表示する表示部と、を含む。
【００１０】
また、本発明の放送表示方法は、番組表示用の番組情報とデータ放送用のデータ放送情報とを含むデジタル放送波を中継する中継装置と、前記中継装置にて中継されたデジタル放送波を受信し該デジタル放送波に含まれる番組情報およびデータ放送情報を表示する受信端末と、を含むデジタル放送システムが行う放送表示方法であって、前記中継装置が、前記デジタル放送波を受信する放送受信ステップと、前記中継装置が、追加表示用の追加表示情報を受け付け、前記デジタル放送波のデータ放送情報に該追加表示情報を付加する情報付加ステップと、前記中継装置が、前記デジタル放送波の番組情報と、前記追加表示情報が付加されたデータ放送情報と、を含む再送用のデジタル放送波を生成し、該再送用のデジタル放送波を送信する送信ステップと、前記受信端末が、前記再送用のデジタル放送波を受信する受信ステップと、前記受信端末が、前記再送用のデジタル放送波のデータ放送情報から、前記追加表示情報を抽出する抽出ステップと、前記受信端末が、前記再送用のデジタル放送波の番組情報の一部を、前記追加表示情報に変更する変更ステップと、前記受信端末が、前記変更された前記番組情報を表示する表示ステップと、を含む。
【００１１】
また、本発明の受信端末は、番組表示用の番組情報とデータ放送用のデータ放送情報とを含むデジタル放送波を受信する受信部と、前記受信部にて受信されたデジタル放送波のデータ放送情報に、追加表示用の追加表示情報が付加されていた場合に、該データ放送情報から該追加表示情報を抽出する抽出部と、前記受信部にて受信されたデジタル放送波の番組情報の一部を、前記抽出部にて抽出した追加表示情報に変更する変更部と、前記変更部にて変更された前記番組情報を表示する表示部と、を含む。
【００１２】
また、本発明の放送表示方法は、デジタル放送波を受信する受信端末が行う放送表示方法であって、番組表示用の番組情報とデータ放送用のデータ放送情報とを含むデジタル放送波を受信する受信ステップと、前記デジタル放送波のデータ放送情報に、追加表示用の追加表示情報が付加されていた場合に、該データ放送情報から該追加表示情報を抽出する抽出ステップと、前記デジタル放送波の番組情報の一部を、前記追加表示情報に変更する変更ステップと、前記変更された前記番組情報を表示する表示ステップと、を含む。
【００１３】
上記発明によれば、データ放送情報に追加表示情報が付加されていると、番組情報の一部が追加表示情報に変更され、その変更された番組情報が表示される。
【００１４】
このため、追加表示情報が表示されても、データ放送情報の画面のレイアウトは維持される。したがって、データ放送情報の表示画面（情報表示領域）のレイアウトが崩れることなく、任意の情報を画面上に表示することが可能になる。
【００１５】
また、中継装置は、番組情報に追加表示情報をスーパーインポーズ等により挿入しないので、再送信用のデジタル放送波を送信する場合に、番組情報を加工（例えば、再エンコード）する必要もなく、番組情報を加工する場合に比較して、追加表示情報の挿入に伴う処理時間が短縮される。
【００１６】
また、既存の災害用緊急データ放送のように、番組そのものを入れ替えることもしないので、視聴者は、継続して番組を視聴することができる。
【００１７】
なお、前記番組情報は、映像データと字幕データを含み、前記変更部は、前記再送用のデジタル放送波の番組情報の字幕データを、前記抽出部にて抽出された追加表示情報に変更することが望ましい。
【００１８】
上記発明によれば、映像データに基づく映像の表示を維持しながら、追加表示情報を表示することが可能となる。
【００１９】
また、前記データ放送情報は、前記番組情報の表示領域と前記データ放送情報の表示領域を規定するデータモジュールを含み、前記情報付加部は、前記データモジュールに前記追加表示情報を付加し、前記抽出部は、前記データモジュールから前記追加表示情報を抽出することが望ましい。
【００２０】
上記発明によれば、追加表示情報を抽出するデータモジュールを特定することが可能となる。
【００２１】
また、前記データ放送情報は、前記番組情報の表示領域と前記データ放送情報の表示領域を規定するデータモジュールを含み、前記情報付加部は、前記データモジュールに、前記追加表示情報を付加し、前記抽出部は、前記データモジュールから前記追加表示情報を抽出し、前記表示部に、前記番組情報の表示領域と前記データ放送情報の表示領域の規定を維持しながら前記番組情報の表示領域または前記データ放送情報の表示領域に前記追加表示情報を表示させることが望ましい。
【００２２】
上記発明によれば、例えば、追加表示情報が表示されても、番組情報内の字幕データが途切れなくすることが可能になる。
【発明の効果】
【００２３】
本発明によれば、データ放送情報の表示画面のレイアウトが崩れることなく、追加表示情報を画面上に表示することが可能になる。
【発明を実施するための最良の形態】
【００２４】
以下、本発明の実施例について図面を参照して説明する。
【００２５】
図１は、本発明の一実施例のデジタル放送システム１００を示したブロック図である。
【００２６】
図１において、デジタル放送システム１００は、デジタル放送の放送波４０を送出している放送装置（放送局）１０と、交通機関の車両に設けられた中継装置２０と、番組視聴者であるユーザが携帯している受信端末３０とを含む。なお、中継装置２０は、交通機関の車両に設けられることに限らず、その設置場所は適宜変更可能である。
【００２７】
中継装置２０は、受信装置２０１と、一時情報付加装置２０２と、再送信装置２０３とを備えている。受信装置２０１は、放送波４０を受信する。一時情報付加装置２０２は、当該車両の運行情報に基づく一時情報（例えば、次の停車駅等の情報）を放送波４０に付加して再送信用のデジタル放送波４１を生成する。再送信装置２０３は、一時情報が付加された放送波４１を車両内に再送信する。
【００２８】
ここで、一時情報（追加表示情報）は、例えば、当該車両が運行管理センターに送信している現在位置情報を基にして作成される。また、一時情報付加装置２０２は、ＢＭＬの編集機能を有したコンピュータで実現できる。
【００２９】
受信端末３０は、アンテナ１１０と、表示部１０７と、スピーカ（イヤホンも含む）１０９と、操作部１１１とを備えている。
【００３０】
アンテナ１１０は、デジタル放送波、例えば、再送信用の放送波４１を受信する。
【００３１】
表示部１０７およびスピーカ１０９は、アンテナ１１０が受信した放送波に基づいて番組を再生する。
【００３２】
操作部１１１は、チャンネル切り替えおよびデータ放送に対する操作を、ユーザから受け付ける。
【００３３】
図２は、受信端末３０を示したブロック図である。なお、図２において、図１に示したものと同一のものには同一符号を付してある。
【００３４】
図２において、受信端末３０は、データ受信部１０１と、データフィルタ１０２と、ＢＭＬブラウザ１０３と、字幕デコーダ１０４と、ビデオデコーダ１０５と、ビデオメモリ１０６と、表示部１０７と、オーディオデコーダ１０８と、スピーカ／イヤホン１０９とを含む。
【００３５】
データ受信部１０１は、アンテナ１１０を含み、放送波４１を受信・復調してデータフィルタ１０２に出力する。
【００３６】
データフィルタ１０２は、データ受信部１０１から受け付けた放送波から、情報表示および制御用のＢＭＬデータと、字幕データと、映像データと、音声データとを取り出し、ＢＭＬデータをＢＭＬブラウザ１０３に出力し、字幕データを字幕デコーダ１０４に、映像データをビデオデコーダ１０５に、音声データをオーディオデコーダ１０８に出力する。
【００３７】
ＢＭＬブラウザ１０３は、抽出部の一例であり、ＢＭＬデータを解釈して情報表示および当該情報の表示制御を行い、ＢＭＬにて指定されたテキストおよび画像等をビデオメモリ１０６に出力する。
【００３８】
字幕デコーダ１０４およびビデオデコーダ１０５は、各々入力されたデータをデコードしてビデオメモリ１０６に出力する。
【００３９】
ビデオメモリ１０６は、入力された情報を表示部１０７に出力する。表示部１０７は、映像、字幕および情報の表示を行う。
【００４０】
なお、字幕デコーダ１０４、ビデオデコーダ１０５およびビデオメモリ１０６で、変更部１１２を構成する。
【００４１】
オーディオデコーダ１０８は、入力された音声データをデコードして、スピーカまたはイヤホン１０９に出力する。スピーカまたはイヤホン１０９は、音の再生を行う。
【００４２】
図３は、デジタル放送波４０および再送信用のデジタル放送波４１のデータ構造を示した説明図である。
【００４３】
図３において、各放送波は、番組部４０１と、情報部４０２とで構成される。
【００４４】
番組部４０１は、映像データ、字幕データおよび音声データで構成される。なお、映像データと字幕データとは、番組表示用の番組情報に含まれる。
【００４５】
情報部４０２は、データ放送用のデータ放送情報であり、ＢＭＬを含み、複数のデータモジュール４０２ｎで構成されており、各々のデータモジュールにはＩＤ（０、１、２、…）が付されている。
【００４６】
各データモジュールは、例えば「天気」「ニュース」「番組表」など、独立したコンテンツで構成される場合もあるし、番組と連動した情報コンテンツで構成される場合もある。
【００４７】
ＩＤが０のデータモジュール（以下「データモジュール０」と称する。）のデータは、当該デジタル放送の映像領域（番組情報表示領域）と情報領域（データ放送情報表示領域）を規定し、天気やニュース等の画面へ遷移させるためのベースコンテンツで構成される。
【００４８】
各々のデータモジュールは、時間軸で繰り返し挿入されている（これはデータカルーセル方式として知られている）。
【００４９】
図示は省略したが、ＢＭＬブラウザ１０３の前段には、カルーセル受信処理部が設けられている。カルーセル受信処理部は、受信したデータモジュールをＩＤ毎に分けて保存しＢＭＬブラウザ１０３に出力する。ただし、カルーセル受信処理部は、放送波を受信した後、データモジュール０を、最初にＢＭＬブラウザ１０３に送信する。
【００５０】
図４は、受信端末３０の表示部１０７における番組の表示例を示した説明図である。
【００５１】
図４（Ａ）は通常時の表示画面を示し、映像領域４Ａには番組の映像４Ａａと字幕４Ａｂが表示され、データ領域４ＢにはＢＭＬによって情報が表示されている（なお、字幕は、番組によっては存在しなくてもよい）。
【００５２】
図４（Ｂ）は一時情報４Ａｃの通知時の表示画面を示す。
【００５３】
本実施例では、一時情報とは、継続的に表示するものではなく、あるタイミングにおいて表示すべき情報と想定している。例えば列車で次の停車駅に近づいた際に、停車駅をアナウンスする場合等において用いられる。画面例では、字幕４ａｂの代わりに、「まもなく渋谷です」という一時情報４Ａｃが表示されている。
【００５４】
次に、動作を説明する。
【００５５】
図５は、中継装置２０および受信端末３０の動作を説明するためのフローチャートである。以下、図５を参照して、中継装置２０および受信端末３０の動作を説明する。
【００５６】
まず、中継装置２０では、受信装置２０１は、放送局１０からデジタル放送波４０を受信すると、そのデジタル放送波４０を一時情報付加装置２０２に出力する（ステップＳ１）。
【００５７】
一時情報付加装置２０２は、デジタル放送波４０を受け付けると、現在、一時情報の挿入タイミングか否かを判断する（ステップＳ２）。ステップＳ２では、例えば、車掌がアナウンスを入れたいタイミングで一時情報付加装置２０２に挿入指示を与え、一時情報付加装置２０２は、挿入指示を受け付けた場合、一時情報の挿入タイミングであると判断する。
【００５８】
一時情報の挿入タイミングである場合、一時情報付加装置２０２は、放送波４０内のデータモジュール０をデコードする（ステップＳ３）。
【００５９】
続いて、一時情報付加装置２０２は、特別なタグを指定して、一時情報（すなわちアナウンスの内容）を、デコードされたデータモジュール０に挿入する（ステップＳ４）。ステップＳ４では、例えば、一時情報付加装置２０２は、『<temp message>まもなく渋谷です</temp message>』のような情報を受け付け、この情報を、デコードされたデータモジュール０のヘッダ部あるいはＢＭＬボディー部の先頭に挿入する。
【００６０】
続いて、一時情報付加装置２０２は、更新されたデータモジュール０をエンコードし、そのエンコードされたデータモジュール０を用いて、再送信用のデジタル放送波４１を生成して、その再送信用のデジタル放送波４１を送信する（ステップＳ５）。
【００６１】
受信端末３０では、データ受信部１０１は、中継装置２０からデジタル放送波４１を受信すると、そのデジタル放送波４１を復調して、復調されたデジタル放送波４１をデータフィルタ１０２に出力する（ステップＳ６）。
【００６２】
データフィルタ１０２は、データ受信部１０１から受け付けたデジタル放送波４１から、情報表示および制御用のＢＭＬデータと、字幕データと、映像データと、音声データとを取り出し、ＢＭＬデータをＢＭＬブラウザ１０３に出力し、字幕データを字幕デコーダ１０４に、映像データをビデオデコーダ１０５に、音声データをオーディオデコーダ１０６に出力する。
【００６３】
ＢＭＬブラウザ１０３は、ＢＭＬデータを受け付けると、まずデータモジュール０をデコードする（ステップＳ７）。
【００６４】
このデコードの結果、データモジュール０に一時情報を指定する特別なタグが存在した場合は、ＢＭＬブラウザ１０３は、その特別なタグにて指定されたテキスト情報を抽出し、その抽出されたテキスト情報を字幕デコーダ１０４に、一時情報データとして出力する（ステップＳ８およびＳ９）。
【００６５】
字幕デコーダ１０４は、ＢＭＬブラウザ１０３から一時情報データを受信すると、放送に含まれていた字幕データの出力を一時的に停止し、一時情報データのテキスト情報を、字幕データの代わりにビデオメモリ１０６に出力する。
【００６６】
なお、ビデオメモリ１０６には、ビデオデコーダ１０５の出力（番組の映像）とＢＭＬブラウザ１０３の出力（データ放送の出力）とも入力され、ビデオメモリ１０６は、それらの情報を表示部１０７に出力する。よって、表示部１０７は、図４（Ｂ）に示したように、字幕データの代わりに一時情報データのテキスト情報を表示する（ステップＳ１０）。
【００６７】
本実施例によれば、以下の効果を奏する。
【００６８】
デジタル放送において映像と情報表示用データを同時に表示する場合は、情報表示領域のコンテンツは、限られた領域の中で視聴者にわかりやすく見えるようにレイアウトが考慮されて制作されている。特に、モバイル向け放送の場合は、表示領域の絶対値が通常のテレビに比較して非常に小さいため、情報表示領域のコンテンツ表示は最小限に留めている。
【００６９】
本実施例では、データ放送情報に一時情報が付加されていると、ＢＭＬブラウザ１０３は、その一時情報を抽出し、変更部１１２は、番組情報の一部を一時情報に変更し、表示部１０７は、その変更された番組情報を表示する。
【００７０】
このため、情報表示領域の大きさおよびレイアウトを変更せずに、映像表示領域に一時情報を簡単に表示することができる。
【００７１】
また、映像情報自体に一時情報をスーパーインポーズ等により挿入することもないので、再送信用のデジタル放送波を生成する場合に、映像を再エンコードする必要もなく、映像を加工する場合に比較して、一時情報挿入の処理時間が短縮されるという効果もある。
【００７２】
さらに、既存の災害用緊急データ放送のように、情報コンテンツそのものを入れ替えることもしない（情報の重要度からするとそこまでは必要ない）ので、視聴者は、継続して番組を視聴することができる。
【００７３】
また、本実施例では、変更部１１２は、字幕データを、一時情報に変更する。この場合、映像データに基づく映像の表示を維持しながら、追加表示情報を表示することが可能となる。
【００７４】
また、本実施例では、一時情報付加装置２０２は、データモジュール０に、一時情報を付加し、ＢＭＬブラウザ１０３は、データモジュール０から一時情報を抽出する。この場合、一時情報を抽出するデータモジュールを特定することが可能となる。
【００７５】
よって、ＢＭＬブラウザ１０３は、データモジュール０を受け付けたときだけ、その中に一時情報が含まれているか否かを判断すればよくなり、すべてのデータモジュールに対して一時情報が含まれているか否かを判断する必要がなくなり、一時情報の有無の判断処理を簡略化することが可能になる。
【００７６】
図６は、本発明の他の実施例である一時情報の画面表示例を示した説明図である。
【００７７】
本実施例においては、受信端末３０のＢＭＬブラウザ１０３が一時情報を抽出した場合に、一時情報が字幕データとして表示される代わりに、ＢＭＬブラウザ１０３が、映像領域の表示領域とデータ領域の表示領域の規定を維持しながら、当該一時情報を、ポップアップ画面により、映像領域またはデータ領域に表示させる。よって、番組における字幕データの表示が途切れないという効果がある。
【００７８】
なお、この場合、受信端末３０のＢＭＬブラウザ１０３が一時情報を抽出した場合に、一時情報を字幕データとして表示させるか、上記のようにポップアップ表示を実行させるかを、操作部１１１からの指示により選択するようにしてもよい。
【００７９】
以上説明した実施例において、図示した構成は単なる一例であって、本発明はその構成に限定されるものではない。
【００８０】
例えば、一時情報は、次の停車駅に関する情報に限らず適宜変更可能である。
【００８１】
また、受信端末は、携帯電話であってもよいし、ＰＤＡ（Personal Digital Assistance）であってもよい。
【図面の簡単な説明】
【００８２】
【図１】本発明の一実施例のデジタル放送システム１００を示したブロック図である。
【図２】受信端末３０を示したブロック図である。
【図３】デジタル放送波のデータ構造を示した説明図である。
【図４】受信端末３０の表示部１０７における番組の表示例を示した説明図である。
【図５】中継装置２０および受信端末３０の動作を説明するためのフローチャートである。
【図６】本発明の他の実施例である一時情報の画面表示例を示した説明図である。
【符号の説明】
【００８３】
１０      放送装置
２０      中継装置
２０１    受信装置
２０２    一時情報付加装置
２０３    再送信装置
３０      受信端末
１０１    データ受信部
１０２    データフィルタ
１０３    ＢＭＬブラウザ
１０４    字幕デコーダ
１０５    ビデオデコーダ
１０６    ビデオメモリ
１０７    表示部
１０８    オーディオデコーダ
１０９    スピーカ／イヤホン
１１０    アンテナ
１１１    操作部
１１２    変更部
【図１】
2007243658.tif 000003
【図２】
2007243658.tif 000004
【図３】
2007243658.tif 000005
【図４】
2007243658.tif 000006
【図５】
2007243658.tif 000007
【図６】
2007243658.tif 000008